(57)【要約】【課題】被装着者にかかる負担が少なく、取り付け、取り外しが簡易な貼付タグを提供する。【解決手段】伸縮性を有する伸縮性基板１４、伸縮性基板１４の表面１４ａに設けられ、伸縮性を有する伸縮性配線部１１２、伸縮性配線部１１２と接続され、識別情報を含む識別信号を生成する集積回路１３、集積回路１３によって生成された識別信号を送信するアンテナ１２、裏面１４ｂに設けられ、粘着性を有する粘着層１７によって貼付タグを構成する。【選択図】図３
2019032733.tif 000002
【特許請求の範囲】
【請求項１】
伸縮性を有する伸縮性基板と、
前記伸縮性基板の第一主面に設けられ、伸縮性を有する伸縮性配線と、
前記伸縮性配線と接続され、識別情報を含む識別信号を生成する識別信号生成部と、
前記識別信号生成部によって生成された前記識別信号を送信する送信部と、
前記伸縮性基板の前記第一主面と異なる第二主面に設けられ、粘着性を有する粘着層と、
を有する、貼付タグ。
【請求項２】
前記識別信号生成部に電力を供給する電池をさらに有し、前記送信部は、前記電池から供給される電力によって前記識別信号を送信する、請求項１に記載の貼付タグ。
【請求項３】
前記送信部は、外部から送信された電力供給信号を受信し、前記電力供給信号によって得られた電力を使って前記識別信号を送信する、請求項１に記載の貼付タグ。
【請求項４】
前記貼付タグにおける前記粘着層と反対側に、インクが塗付されて前記伸縮性基板よりも可視光の透過性が低い被印刷層をさらに備える、請求項１から３のいずれか一項に記載の貼付タグ。
【請求項５】
前記被印刷層には、前記インクが飛沫体として塗付されている、請求項４に記載の貼付タグ。
【請求項６】
前記送信部は、前記伸縮性基板上において、前記伸縮性基板と同視し得る形状に沿う部分を含む、請求項１から５のいずれか一項に記載の貼付タグ。
【請求項７】
請求項１から請求項６のいずれか一つに記載の貼付タグと、
所定の位置に固定され、前記送信部に電波信号を送信する送信器と、を含む、タグシステム。
【発明の詳細な説明】
【技術分野】
【０００１】
本発明は、貼付タグ及びこの貼付タグを用いたタグシステムに関する。
【背景技術】
【０００２】
現在、水族館やテーマパーク等の施設において、入退場の管理にＩＣタグを利用することがなされている。入退場を管理することに使用されるＩＣタグとしては、例えば、各ＩＣタグを識別可能な信号（識別信号）を送信するアンテナ及びＩＣチップを搭載したものが使用される。現状のシステムでは、施設の入場者にこのようなＩＣタグを配布する。入場者は、配布されたＩＣタグを身につけて、施設の入場口等に設置されているＩＣタグリーダに信号を送信する。ＩＣタグリーダは、ＩＣタグによって送信された信号が示す識別信号を認識し、識別信号に対応するＩＣタグを付けた入場者が施設に入場したことを記録する。
【０００３】
このようなＩＣタグは、例えば、特許文献１に記載されている。特許文献１に記載のＩＣタグは、ブレスレット形状のウェアラブルトランシーバとして構成されている。ウェアラブルトランシーバは、可撓性のブレスレットを形成するビニル層の中にパッケージングされていて、そのアンテナも可撓性を有している。特許文献１には、このようなデバイスを手首のみならず、人体の他の部分に装着してもよいことが記載されている。さらに、特許文献１には、デバイスをズボンまたはドレスの襟等の衣服に装着してもよいことが記載されている。
さらに、特許文献１には、トランシーバが建物内で複数のデバイスと通信することが記載されている。このような構成によれば、トランシーバの被装着者の建物内における位置を特定することができる。
【先行技術文献】
【特許文献】
【０００４】
【特許文献１】特開２０１３−４７９６９号公報
【発明の概要】
【発明が解決しようとする課題】
【０００５】
しかしながら、上記のＩＣタグは、人体または衣服から取り外される可能性がある。例えば、ブレスレットとして構成されたＩＣタグは、手が水に濡れる場面で被装着者自身によって取り外され得るし、取り外された後に装着し忘れられる場合がある。また、衣服に取り付けられたＩＣタグは、被装着者も気がつかないうちに衣服から外れる可能性がある。そして、入場の記録がされたＩＣタグが被装着者から外れた場合、被装着者の入場の記録が失われ、入退場が円滑に管理できなくなることが考えられる。
また、ＩＣタグが被装着者から外れると、当然のことながら、ＩＣタグを使って被装着者の位置を特定することができなくなる。
【０００６】
被装着者からＩＣタグが外れることを防ぐためには、ＩＣタグを強固に被装着者に装着することが考えられる。しかし、ＩＣタグを人体に取り付ける場合、ＩＣタグを強固に取り付けることによって被装着者の違和感が大きくなるという不具合が生じ得る。また、ＩＣタグを衣服に取り付ける場合、強固に取り付けることによって衣服にダメージを与える可能性が生じる。さらに、ＩＣタグの取り付け機構が複雑化し、取り付け、取り外しの簡便性が損なわれることが考えられる。
本発明は、このような点に鑑みてなされたものであり、被装着者にかかる負担が少なく、取り付け、取り外しが簡易な貼付タグ及びこの貼付タグを使ったタグシステムに関する。
【課題を解決するための手段】
【０００７】
本発明の貼付タグの一態様は、伸縮性を有する伸縮性基板と、前記伸縮性基板の第一主面に設けられ、伸縮性を有する伸縮性配線と、前記伸縮性配線と接続され、識別情報を含む識別信号を生成する識別信号生成部と、前記識別信号生成部によって生成された前記識別信号を送信する送信部と、前記第一主面と異なる第二主面に設けられ、粘着性を有する粘着層と、を有する。
【０００８】
本発明のタグシステムの一態様は、上記貼付タグと、所定の位置に固定され、前記送信部に電波信号を送信する送信器と、を含む。
【発明の効果】
【０００９】
本発明は、被装着者にかかる負担が少なく、取り付け、取り外しが簡易なＩＣタグ及びこの貼付タグを使用したタグシステムを提供することができる。
【図面の簡単な説明】
【００１０】
【図１】本発明の第一実施形態の貼付タグの部分破断斜視図である。
【図２】図１に示した貼付タグの上面視を示した図である。
【図３】図２に示した貼付タグを図２中に示した矢線の方向に見る断面図である。
【図４】本発明の第一実施形態のタグシステムを説明するための図である。
【図５】本発明の第二実施形態の貼付タグを説明するための図である。
【発明を実施するための形態】
【００１１】
以下、本発明の第一実施形態、第二実施形態を図面に基づいて説明する。なお、すべての図面において、同様の構成要素には同様の符号を付し、重複する説明は適宜省略する。また、第一実施形態、第二実施形態のいずれにおいても、図面は主に第一実施形態、第二実施形態の部材の配置や互いの位置関係を説明するためのものであり、その長さや厚さ等の寸法形状を正確に表すものとは限らない。
【００１２】
［第一実施形態］
第一実施形態は、被装着者が貼付タグを手等の皮膚に直接貼り付けて使用する場合を例示して説明する。第一実施形態は、タグを手等に直接貼り付けることにより、タグの装着によって被装着者の動作が制限されることがない。このため、第一実施形態では、被装着者がタグを意識することなく行動することができる。また、第一実施形態では、皮膚に直接貼り付けるため、貼付タグを衛生面の観点から使い捨てにすることが好ましい。
ただし、第一実施形態は、上記構成に限定されるものでなく、貼付タグは皮膚以外の衣服や鞄、帽子、ベルト等に貼り付けられるものであってもよい。また、貼付タグは、使い捨てに限定されるものでなく、繰り返し使用されるものであってもよい。
【００１３】
（貼付タグ）
図１は、第一実施形態の貼付タグを説明するための部分破断斜視図である。図２は、図１に示した貼付タグ１の伸縮性カバー１６を除いた状態の上面視を示した図である。図３は、貼付タグ１を図２中に示した矢線３、３´の方向に見た断面図である。
図１から図３に示した貼付タグ１は、伸縮性を有する伸縮性基板１４、識別信号生成部である集積回路（ＩＣ：Integrated Circuit）１３、送信部であるアンテナ１２を有している。さらに、貼付タグ１は、粘着層性を有する粘着層１７（図３）を備えている。
上記構成のうち、伸縮性基板１４は、シート状の部材であって、シートの表面１４ａ及び裏面１４ｂと、周面１４ｃとを有している。第一実施形態では、表面１４ａ及び裏面１４ｂと周面１４ｃとを比較して明らかに面積が大きい側を「主面」と記す。第一実施形態では、表面１４ａ及び裏面１４ｂを主面とする。
【００１４】
集積回路１３及びアンテナ１２は、ＲＦＩＤ（radio frequency identifier）アンテナを構成する。集積回路１３は、１チップの小型のものでよく、アンテナ１２は、伸縮性を有する伸縮性配線を任意に配置して構成され、その形状が限定されるものではない。第一実施形態では、アンテナ１２の延長上にある伸縮性配線の部分を伸縮性配線１１２ｂ、伸縮性配線１１２ｂの端部にあって集積回路１３に重なる部分を端子１１２ａとする。アンテナ１２と伸縮性配線１１２ｂ、端子１１２ａは、例えば金属を含む一続きの印刷層である。第一実施形態では、伸縮性配線１１２ｂと端子１１２ａとを総称して伸縮性配線部１１２と記す。
【００１５】
以上のように、第一実施形態の貼付タグ１は、伸縮性を有する伸縮性基板１４と、伸縮性基板１４の第一主面である表面１４ａに設けられ、伸縮性を有する伸縮性配線１１２ｂと、伸縮性配線１１２ｂと接続され、識別情報を含む信号を生成する集積回路１３と、集積回路１３によって生成された識別信号を送信するアンテナ１２と、伸縮性基板１４の表面１４ａと異なる第二主面である裏面１４ｂに設けられ、粘着性を有する粘着層１７（図３）と、を有する、貼付タグである。
さらに、貼付タグ１は、貼付タグ１における粘着層１７（図３）と反対側に、伸縮性基板１４上のアンテナ１２を保護する伸縮性カバー１６を有している。貼付タグ１における粘着層１７と反対側、つまり伸縮性カバー１６の外表面には、インクが塗付されて伸縮性基板１４よりも可視光の透過性が低い被印刷層１８をさらに備えている。被印刷層１８には、インクによって図画１５が描画されている。
ここで、「伸縮性基板よりも可視光の透過性が低い」とは、被印刷層１８が伸縮性基板１４よりも透明度が低いことを指している。被印刷層１８は、図画１５を描画するインクの光透過性が伸縮性基板１４よりも低いものであってもよいし、伸縮性基板１４よりも光透過性の高いインクを厚く塗付することによって全体の光透過性が低くなるものであってもよい。さらに、伸縮性カバー１６の少なくとも表面を伸縮性基板１４よりも可視光の透過性が低い部材で構成し、被印刷層１８となる層を別途形成することなく伸縮性カバー１６を被印刷層１８として用いてもよい。
【００１６】
以下、上記構成を順に説明する。
（伸縮性基板）
伸縮性基板１４は、面内方向の少なくとも一方向に伸縮が可能なシート状の部材であり、面内方向の二方向に伸縮が可能であることが好ましい。伸縮性基板１４の面内方向の伸縮性は等方性でもよく、または面内の複数方向への伸縮性が互いに異なる異方性でもよい。伸縮性基板１４を構成する好ましい素材としては、ニトリルゴム、ラテックスゴム、ウレタン系エラストマー、またはシリコーン系エラストマー等のエラストマー材料を挙げることができるが、これに限定されない。特に、医療用に用いられるウレタン系エラストマーシートを用いることで、人体の皮膚に貼り付けた場合でも高い安全性を得ることができる。ここで、「シート状」とは、厚さに比べて広さが充分大きい形状を指していて、シート状の厚さや広さについては特に定義されるものではない。伸縮性基板１４は、一枚のシート状の部材でなる単層のものであってもよいし、複数のシート状の伸縮性基板で構成される多層のものであってもよい。
【００１７】
伸縮性基板１４の厚みは特に限定されない。ただし、伸縮性基板１４が貼り付けられる対象物（対象面、例えば、生体表面）の伸縮や動きを阻害しないという観点から、伸縮性基板１４の厚みは１００μｍ以下であることが好ましい。伸縮性基板１４の厚みは、より望ましくは２５μｍ以下であり、更に望ましくは１０μｍ以下である。
第一実施形態は、このように、伸縮性を有し、かつ薄いシート状の伸縮性基板１４を使用することにより、貼付タグ１が貼り付けられた手等の動作が阻害されず、手等の違和感を充分小さくすることができる。また、エラストマー材料は通気性を有するため、いっそう貼付タグ１を手等に貼り付けた際の被装着者に与える違和感を低減することができる。
【００１８】
また、第一実施形態では、伸縮性基板１４の全体が、幾何学的な形状、あるいは植物、動物及びキャラクター等のいずれかを模した形状に形成されている。図１、図２に示した伸縮性基板１４は、全体が熊や犬等の顔を模した形状を有していて、伸縮性基板１４は耳部１４ｄと顔部１４ｅとを含んでいる。
【００１９】
（伸縮性配線、アンテナ）
前記したように、伸縮性配線部１１２及びアンテナ１２は、一続きの層で形成された伸縮性の導電パターンである。第一実施形態では、伸縮性配線部１１２及びアンテナ１２を単層の伸縮性基板１４の最表面に形成している。しかし、第一実施形態は、このような構成に限定されるものではない。伸縮性基板１４が多層である場合、伸縮性配線部１１２及びアンテナ１２は、伸縮性基板１４を構成する複数の伸縮性基板の少なくとも一つの主面に形成されるものであればよい。また、伸縮性配線部１１２及びアンテナ１２は、両方が同一の面に形成されることに限定されず、伸縮性配線部１１２とアンテナ１２とが別の面に形成されるものであってもよい。
伸縮性配線部１１２は、集積回路１３と電気的に接続する端子１１２ａと、端子１１２ａとアンテナ１２との間にある伸縮性配線１１２ｂとを含む。第一実施形態では、導電パターンのうち、信号の送信にかかる環状の部分をアンテナ１２と記す。
【００２０】
図３に示すように、端子１１２ａは、集積回路１３の端子１３ａと接触して電気的に接続されている。集積回路１３の端子１３ａが設けられる面と伸縮性基板１４の表面１４ａとの間には固定強化用粘着剤１９が塗付されていて、集積回路１３を表面１４ａ上に物理的に固定する。固定強化用粘着剤１９は、例えば、導電性を有する高柔軟性接着材とすることができる。このようにすることにより、第一実施形態は、端子１３ａ接着後も貼付タグ１の柔軟性を失うことがない。端子１１２ａと伸縮性配線１１２ｂは、互いに融合一体化していることが好ましい。アンテナ１２のパターン形状は特に限定されない。第一実施形態のアンテナ１２は、一定の幅を持つラインが平面的に略３回巻き回された形状を有している。
【００２１】
アンテナ１２及び伸縮性配線部１１２は、導電材料を含んで構成されており導電性を有する。導電材料としては、銀、金、白金、カーボン、銅、アルミニウム、コバルトもしくはニッケル、またはこれらの合金等の導電性の良好な材料を選択することができる。導電材料の形状は特に限定されないが、顆粒または粉体等の粒子状とすることができる。粒子形状は特に限定されず、球状、針状、フレーク状、ナノワイヤ状等とすることができる。粒子のアスペクト比は、例えば１以上１００以下、特には１以上５０以下とすることができる。ここで、アスペクト比とは、三次元体の最長寸法と最短寸法の比を意味する。アンテナ１２及び伸縮性配線部１１２を構成する粒子のアスペクト比を５以上２０以下とすることで、伸縮性基板１４が面内方向に伸長して長さ方向に変形した場合の抵抗変化を低く抑制することができる。
【００２２】
アンテナ１２及び伸縮性配線部１１２は、さらに樹脂バインダを含むことが好ましい。即ち、第一実施形態のアンテナ１２及び伸縮性配線部１１２は、樹脂材料に導電性粒子が分散して配合された導電性材料で形成されている。アンテナ１２及び伸縮性配線部１１２が樹脂バインダを含むことにより、アンテナ１２及び伸縮性配線部１１２が伸縮によって破断することが抑制される。樹脂バインダとしては、例えばウレタンやポリエステル等の樹脂を主成分とするバインダ、シリコーンゴム等の熱可塑性のエラストマー材料を挙げることができるが、これに限定されない。樹脂バインダとしては、塗膜化された状態におけるアンテナ１２及び伸縮性配線部１１２の弾性率が伸縮性基板１４の弾性率に比して同等か、又はより小さくなるように低ヤング率のものを選定することが望ましい。エラストマー材料は一種類で用いてもよく、または複数種類のエラストマー材料を混合して用いてもよい。
【００２３】
アンテナ１２及び伸縮性配線部１１２の製造方法は特に限定されないが、第一実施形態では、アンテナ１２及び伸縮性配線部１１２を印刷法により形成した。即ち、アンテナ１２及び伸縮性配線部１１２は、伸縮性を有する導電性ペーストを表面１４ａに印刷塗布して形成された印刷パターンである。具体的な印刷法は特に限定されないが、例えば、スクリーン印刷方法、インクジェット印刷方法、グラビア印刷方法、オフセット印刷方法等を例示することができる。このうち、微細解像性や厚膜安定性の観点から、スクリーン印刷が好適に用いられる。印刷法でアンテナ１２及び伸縮性配線部１１２を形成する場合、上述した導電性粒子および樹脂バインダならびに有機溶剤を含む導電性ペーストを調製して用いることが好ましい。アンテナ１２及び伸縮性配線部１１２に、銀等の金属粒子を主成分とする伸縮性の導電性ペーストを用いることによって、例えば５０％以上７０％以下程度の伸び率を実現することができ、伸長特性に優れた配線の形成が可能となる。
【００２４】
アンテナ１２及び伸縮性配線部１１２の厚み寸法及び幅寸法は、無負荷時の抵抗率及び伸縮性基板１４の伸張時の抵抗変化のほか、伸縮性基板１４の全体の厚み寸法および幅寸法の制約に基づいて決定することができる。伸縮性基板１４の伸張時の寸法変化に追従させて良好な伸縮性を確保するという観点からは、アンテナ１２及び伸縮性配線部１１２の幅寸法は、１０００μｍ以下であることが好ましく、５００μｍ以下であることがより好ましく、２００μｍ以下であることがさらに好ましい。アンテナ１２及び伸縮性配線部１１２の厚み寸法は、２５μｍ以下とすることができ、望ましくは１０μｍ以上１５μｍ以下である。
【００２５】
（集積回路）
集積回路１３は、端子１３ａを有している。端子１３ａは、端子１１２ａと電気的に接続するために、伸縮性基板１４の表面１４ａに対向する面（下面）の外側に設けられた端子である。端子１３ａの数は制限されず、端子１１２ａの数と等しくてもよいし、異なっていてもよい。
端子１３ａは、一般的な電気機器の端子電極と同じ材質であればよい。例えば、端子１３ａは、端子面に金やすずのメッキ処理が施されることで形成される。端子１３ａの形状及び材質については、伸縮性配線１１２ｂと接続可能なものであれば、特に制限されない。
【００２６】
貼付タグ１をパッシブタグとして構成する場合、アンテナ１２は、受信機能も有する送受信アンテナとして構成される。そして、アンテナ１２は、図４に示すタグリーダ（外部）から信号を受信する。アンテナ１２は、受信した信号によって得られた電力を使って識別信号を送信する。すなわち、アンテナ１２では、タグリーダから送信された信号により電磁誘導が生じる。電磁誘導によってアンテナ１２に電力が発生し、アンテナ１２は、発生した電力を使って信号を送信する。このため、タグリーダから送信された信号は、第一実施形態の電力供給信号に相当する。集積回路１３は、アンテナ１２から送信される信号に識別情報を付与して識別信号を生成する。送信された識別信号は、タグリーダに受信される。タグリーダが受信した識別信号の識別情報は、タグリーダにおいて記録、蓄積されてもよいし、タグリーダからさらに上位の管理装置に無線または有線で送られるものであってもよい。識別情報は、貼付タグ１ごとに異なる固有の情報であってもよいし、複数の貼付タグ１に一つの識別情報が対応するものであってもよい。さらに、一つの貼付タグ１が複数の識別情報を信号に付与するものであってもよい。
パッシブタグは、アクティブタグ等に比べて製造コストが安価にできること、略恒久的に動作すること等により使い捨ての貼付タグ１に有利な構成である。タグリーダは、貼付タグ１に強度が比較的高い電波を送信し、貼付タグ１からの微弱な電波を受信し、付与されている識別情報を解析する機能を有することが好ましい。
【００２７】
また、第一実施形態の集積回路１３は、図１から図３に示した構成に限定されるものではない。例えば、集積回路は、アンテナが埋め込まれている構成のものであってもよい。ただし、集積回路に埋め込まれたアンテナは、通信可能な距離が集積回路と別体であるアンテナよりも短くなる。
また、第一実施形態の貼付タグ１は、パッシブタグに限定されるものではなく、アクティブタグやセミアクティブタグとして構成することができる。なお、アクティブタグの貼付タグについては、第二実施形態で説明する。
【００２８】
（伸縮性カバー）
伸縮性カバー１６は、伸縮性基板１４上のアンテナ１２及び集積回路１３を保護する部材である。このため、伸縮性カバー１６は、外力によってアンテナ１２及び集積回路１３が破損しないためのクッション性（厚さ）、手洗い等による集積回路１３の破損を防ぐ防水性、貼り付けられた生体と共に屈曲し、装着についての違和感が少ない柔軟性及び弾性を有することが好ましい。さらに、伸縮性カバー１６には、被装着者が皮膚にタグＩＣを貼り付けた際の違和感を低減するために、皮膚に蒸れが生じない通気性があることが好ましい。
このような伸縮性カバー１６としては、例えば、熱可塑性エラストマー樹脂を直接押出成形したシート部材、あるいはフィルム部材が使用される。熱可塑性エラストマー樹脂としては、例えば、ポリウレタン（polyurethane）樹脂やポリエステル（polyester）樹脂及びポリカーボネイト（polycarbonate）樹脂等が使用される。このような材料のうち、ポリウレタン樹脂は比較的通気性が高く、皮膚に直接貼り付けられる貼付タグ１に用いても貼付タグ１の装着の違和感を低減することができる。第一実施形態は、上記樹脂でなるシートを単層で、あるいは多層にして伸縮性カバー１６を形成する。伸縮性カバー１６の厚さは、例えば、伸縮性基板１４の厚さ以上、２００μｍ以下程度であることが好ましい。このように、伸縮性カバー１６の厚さを比較的厚くすることによって、第一実施形態の貼付タグ１は、後の被印刷層１８を設ける工程でアンテナ１２や伸縮性配線部１１２を損なう可能性が低くなり、印刷プロセスの自由度を高めることが可能になる。
【００２９】
伸縮性カバー１６は、アンテナ１２及び集積回路１３上に形成される単層のシート部材であってもよい。また、伸縮性カバー１６は、集積回路１３が搭載される以前の伸縮性基板１４上に形成される層と、集積回路１３の搭載後、集積回路１３をカバーする層との多層構造であってもよい。集積回路１３をカバーする層としては、例えば、伸縮性のあるエラストマー系のポッティング材が使用できる。
また、伸縮性カバー１６は、表面を加工処理することができる。加工処理としては、例えば、凹凸を形成するシボ印刷、シート下の部品を見え難くするスモーク処理、発光部の点光原を拡散させて均一に光らせる拡散処理、所定の領域の外周等を印刷で盛上げる凸印刷、抗菌剤を塗布する抗菌処理等がある。さらに、伸縮性カバー１６には、エンボス加工によって被印刷層１８に凹凸を形成することもできる。
【００３０】
（被印刷層）
被印刷層１８は、インクが塗付されることによって図画１５が描画される層である。つまり、被印刷層１８には、インクによって図画１５が印刷される。第一実施形態では、被印刷層１８を、伸縮性カバー１６上に他の層を形成し、この層に図画１５を印刷するものとしてもよいし、インク層としてもよい。さらに、前記したように、伸縮性カバー１６の表面に図画１５を直接印刷し、伸縮性カバー１６の表面を被印刷層１８としてもよい。
第一実施形態の被印刷層１８は、インクが飛沫体として塗付されている。このような印刷は、被印刷層１８にインクジェット方式によって図画１５を描写することによって実現される。インクジェット方式による印刷は、インクが飛沫体になって被印刷層１８に乗り、伸縮性カバー１６の通気性を損なうことが少ないために好ましい。被印刷層１８においては、飛沫体のインクが隙間なく被印刷層１８を覆うものであってもよいし、隙間を開けて被印刷層１８上に乗るものであってもよい。
【００３１】
なお、第一実施形態の被印刷層１８は、このような構成に限定されるものではない。例えば、被印刷層１８に印刷をする方法は、インクジェット方式に限定されるものではない。他の印刷方法としては、スクリーン印刷やオフセット印刷、活版印刷、グラビア印刷等のいずれの方法で行ってもよい。また、被印刷層１８に下地の色を印刷し、被装着者が任意の手法（油性または水性のペンや絵の具等）によって図画１５を描画してもよい。第一実施形態でいう「図画」は、画像、マーク、図表及び文字を含むものとする。さらに、第一実施形態でいう図画１５は、画像、マーク、図表及び文字の下地をも含むものとする。
また、被印刷層１８は、上記したように、伸縮性カバー１６の外表面であることに限定されるものではない。例えば、伸縮性カバー１６を透明の部材とし、伸縮性カバー１６の伸縮性基板１４に向かう側の裏面を被印刷層１８としてもよい。
【００３２】
（粘着層）
粘着層１７は、絆創膏等で使用される皮膚に接する点に考慮した粘着剤の層である。粘着剤としては、アクリル系粘着剤、ゴム系粘着剤、シリコーン系粘着剤等を使用することができる。このうち、アクリル系粘着剤及びシリコーン系粘着剤は、耐熱性、耐寒性、耐候性及び耐薬品性に優れ、低アレルギー性であり、粘着層１７の粘着剤に好適である。粘着層１７の粘着剤の厚さは、粘着剤の組成や性質に因るが、伸縮性基板１４の厚さ以上、２００μｍ以下程度であることが好ましい。貼付タグ１は、貼り付けられる以前には粘着層１７に図示しないセパレータを貼り付けておき、これを剥がして使用されるものであってもよい。
【００３３】
以上説明したように、第一実施形態の貼付タグ１は、被装着者にかかる負担が少なく、薄く、かつ伸縮性を有するエラストマー材料を基板にしているため、皮膚に直接貼り付けても被装着者の動作に影響を与えることがなく、しかも通気性を有するために装着の違和感が少ない。また、被装着者の手等に貼り付けて使用される貼付タグ１は、簡易に取り付け、取り外しができる。このため、第一実施形態は、被装着者にかかる負荷が少なく、取り付け、取り外しが簡易な貼付タグ１を提供することができる。
さらに、貼り付けられて利用される貼付タグは、衛生面から使い捨てにすることが望まれることが多い。第一実施形態の薄いシート部材を基板とする貼付タグ１は、手等から剥がす際に伸縮性基板１４が折れて粘着層１７同士が離れなくなり、再使用することができなくなる。また、伸縮性基板１４、アンテナ１２及び集積回路１３で形成される貼付タグ１は低コストである。このようなことから、第一実施形態の貼付タグ１は、使い捨てに好適であることが明らかである。
【００３４】
（タグシステム）
次に、第一実施形態のタグシステムを説明する。
図４は、本発明の第一実施形態のタグシステムを説明するための図である。第一実施形態のタグシステムでは、貼付タグ１をテーマパークの施設Ｐの入場タグとして使用するものとする。第一実施形態のタグシステムは、所定の位置に固定され、アンテナ１２に電波信号を送信する送信器であるタグリーダを有している。第一実施形態のタグリーダは、施設ＰのゲートＧ及び施設Ｐ内のポイントに設けられる。図４においては、ゲートＧにタグリーダ２１、２２が設置されている。また、施設Ｐのエリアには例えばＸ，Ｙの座標等によって位置情報が付与されているものとする。位置（Ｘ１，Ｙ２）にはタグリーダ２３が、位置（Ｘ２，Ｙ１）にはタグリーダ２４が設置されている。
【００３５】
図４に示した施設Ｐにおいて、貼付タグ１ａを装着した被装着者Ａ及び貼付タグ１ｂを装着した被装着者ＢがゲートＧから入場する。図４のように、被装着者ＢがゲートＧを通るとき、タグリーダ２１またはタグリーダ２２（ここではタグリーダ２１とする）が被装着者Ｂの貼付タグ１ｂのアンテナ１２に向けて電力供給信号を送信する。アンテナ１２及び集積回路１３は、送信された電力供給信号によって発生した電力を使ってタグリーダ２１に識別信号として送信する。識別信号には貼付タグ１ｂの識別情報が付与されていて、タグリーダ２１は識別情報から貼付タグ１ｂ、すなわち被装着者Ｂの入場を許可するか否か判断する。入場の許可、不許可の結果は、例えば、図示しないブザーを鳴らす、あるいはライトを点灯させる等して被装着者Ｂに伝えられる。
【００３６】
なお、第一実施形態のタグリーダ２１、２２は、このような構成に限定されるものではない。例えば、タグリーダ２１、２２は、識別情報から被装着者の入場の可否を判断するものでなく、識別情報をさらに上位の管理装置に送信するものであってもよい。このような場合、管理装置側が被装着者の入場の可否を判断し、ゲートＧの図示しない扉を開閉する等の制御をしてもよい。また、タグリーダ２１、２２は、ゲートＧを通過したＩＣタグの識別情報を記録しておき、これを蓄積するものであってもよい。このようにすれば、第一実施形態のタグシステムは、施設Ｐの入場者数やその時間分布等の管理に有効な情報を簡易に収集することができる。
さらに、第一実施形態のタグシステムは、例えば、貼付タグの識別情報と被印刷層１８の色や図画とを対応付けることができる。このようにすれば、性別や年齢（成人、子供）等の属性に応じた色や図画の貼付タグを配布し、貼付タグからは属性に対応した識別信号がタグリーダ２１、２２に送信される。このことにより第一実施形態のタグシステムは、施設Ｐの入場者の性別や年齢といった属性に関する情報を収集することができる。
【００３７】
また、図４に示したタグシステムは、施設Ｐ内においても、タグリーダ２３、２４が設置された位置を被装着者が通過したことを検知することができる。このため、第一実施形態のタグシステムは、施設Ｐ内で被装着者が所定の位置を通過したことと連動し、ライトを点灯させる、あるいは音楽を流すといった演出をすることができる。このような演出は、例えば、タグリーダ２３、２４が識別信号を受信すると、図示しないライトやスピーカに制御信号を送信するようにすることによって実現できる。そして、ライトは制御信号を受信したことによって点灯し、スピーカは制御信号を受信したことによって音楽を流すように構成される。
【００３８】
さらに、第一実施形態のタグシステムは、予め貼付タグの識別情報と被装着者とを対応付けておくことができる。そして、例えば、タグリーダ２３が電波を送信し、送信された電波を反射した被装着者Ａの貼付タグ１ａから識別信号を受信する。タグリーダ２３は、受信された識別信号の識別情報からタグリーダ２３の近傍（通信圏内）にいる被装着者を特定する。なお、タグリーダ２３の電波の送信は、例えば、図示しない他のセンサによってタグリーダ２３の近くを通過する者が検知されたときに行うものであってもよい。あるいは、タグリーダ２３が周期的に電波を送信し、電波の通信圏内にある貼付タグから識別信号を受信するものであってもよい。
以上説明したように、第一実施形態のタグシステムによれば、貼付タグ１ａ、１ｂの施設Ｐにおける位置を検知することができる。このような第一実施形態のタグシステムは、入場者の呼び出しや迷子の捜索に適用することができる。さらに、第一実施形態のタグシステムは、複数の被装着者が通過するタグリーダを順次記録することにより、被装着者が施設Ｐ内を移動する経路を特定することができる。このような情報は、マーケティング情報として活用することができる。
【００３９】
［第二実施形態］
次に、本発明の第二実施形態の貼付タグを説明する。
図５は、第二実施形態の貼付タグ１０１の伸縮性カバーを除去した状態の貼付タグ１０１の上面図である。貼付タグ１０１は、伸縮性基板１４１、アンテナ１２１、伸縮性配線２２１ｂと端子２２１ａとを含む伸縮性配線部２２１、図示しない伸縮性カバー及び集積回路１３を備えている。さらに、貼付タグ１０１は、識別信号生成部である集積回路１３に電力を供給する電池１５０を有している。アンテナ１２１は、電池１５０から供給される電力によって識別信号を送信する。
電池１５０としては、例えばボタン型のリチウム電池を使用することができる。電池１５０を内蔵する貼付タグ１０１は、能動的にタグリーダに識別信号を送信するアクティブグとして構成することができる。アクティブタグは、センサ等と連動し、センサネットワークを構築することができる。
さらに、電池１５０を有する貼付タグ１０１は、セミアクティブタグとして構成することもできる。セミアクティブタグは、アクティブタグの機能を有するが、タグリーダへの通信をパッシブタグと同様にタグリーダから電波を受信することで起動するタグである。
【００４０】
伸縮性基板１４１は、第一実施形態で説明した伸縮性基板１４と同様の材料を材料とし、伸縮性基板１４と同様の厚さを有するシート部材である。第二実施形態の伸縮性カバーは、図５には図示されていないが、第一実施形態と同様に伸縮性基板１４１と同様の形状を有し、伸縮性基板１４１上に重ねられている。伸縮性基板１４１及び第二実施形態の伸縮性カバーは、図５に示したように、５つの凸部１４１ａを有する星型を含む形状を有している。
アンテナ１２１は、第一実施形態で説明したアンテナ１２と同様の材料を材料とする導電性の導電パターンである。伸縮性配線部２２１は、端子２２１ａと伸縮性配線２２１ｂを含み、アンテナ１２１と一続きに形成される。
【００４１】
第二実施形態のアンテナ１２１は、伸縮性基板１４１上において、伸縮性基板１４１の外形と同視し得る形状に沿う部分を含んでいる。ここで、「同視し得る」とは、アンテナ１２１の形状が伸縮性基板１４１の外形を想起し得る程度に類似していることをいう。より具体的には、アンテナ１２１が描く形状が伸縮性基板１４１と相似形であることの他、アンテナ１２１が伸縮性基板１４１の外縁部に沿うように配置されている状態を含む。図５に示した例では、伸縮性基板１４１は上面視が星型の形状を有していて、アンテナ１２１は、その少なくとも一部に伸縮性基板１４１の外縁に沿って配置される部分を含んでいる。
このような構成によれば、第二実施形態は、伸縮性基板１４１においてアンテナ１２１の配置に使用されないデッドスペースを低減し、貼付タグ１０１をアンテナ１２１に必要な面積を確保しながら小型化することができる。また、貼付タグ１０１の外形を星型等の任意の形状にすることができる。上面が任意の形状に構成できる貼付タグ１０１は、単純な円形や矩形を除く幾何学的形状（星型等）の他、アニメーション、漫画及びスポーツチーム等のキャラクターの形状を模して形成することができる。このため、第二実施形態は、被装着者の嗜好を考慮した貼付タグを被装着者に提供し、被装着者が積極的に装着する貼付タグを提供することができる。
【００４２】
上記実施形態および実施例は以下の技術思想を包含するものである。
＜１＞  伸縮性を有する伸縮性基板と、前記伸縮性基板の第一主面に設けられ、伸縮性を有する伸縮性配線と、前記伸縮性配線と接続され、識別情報を含む識別信号を生成する識別信号生成部と、前記識別信号生成部によって生成された前記識別信号を送信する送信部と、前記伸縮性基板の前記第一主面と異なる第二主面に設けられ、粘着性を有する粘着層と、を有する、貼付タグ。
＜２＞  前記識別信号生成部に電力を供給する電池をさらに有し、前記送信部は、前記電池から供給される電力によって前記識別信号を送信する、＜１＞の貼付タグ。
＜３＞  前記送信部は、外部から送信された電力供給信号を受信し、前記電力供給信号によって得られた電力を使って前記識別信号を送信する、＜１＞の貼付タグ。
＜４＞  前記貼付タグにおける前記粘着層と反対側に、インクが塗付されて前記伸縮性基板よりも可視光の透過性が低い被印刷層をさらに備える、＜１＞から＜３＞のいずれか一つの貼付タグ。
＜５＞  前記被印刷層には、前記インクが飛沫体として塗付されている、＜４＞の貼付タグ。
＜６＞  前記送信部は、前記伸縮性基板上において、前記伸縮性基板と同視し得る形状に沿う部分を含む、＜１＞から＜５＞のいずれか一つの貼付タグ。
＜７＞  ＜１＞から＜６＞のいずれか一つの貼付タグと、所定の位置に固定され、前記送信部に電波信号を送信する送信器と、を含む、タグシステム。
【符号の説明】
【００４３】
１、１ａ、１ｂ、１０１・・・貼付タグ
１２、１２１・・・アンテナ
１３・・・集積回路
１３ａ・・・端子
１４、１４１・・・伸縮性基板
１４１ａ・・・凸部
１４ａ・・・表面
１４ｂ・・・裏面
１４ｃ・・・周面
１４ｄ・・・耳部
１４ｅ・・・顔部
１５・・・図画
１６・・・伸縮性カバー
１７・・・粘着層
１８・・・被印刷層
１９・・・固定強化用粘着剤
２１、２２、２３、２４・・・タグリーダ
１１２、２２１・・・伸縮性配線部
１１２ａ、２２１ａ・・・端子
１１２ｂ、２２１ｂ・・・伸縮性配線
１５０・・・電池
Ａ、Ｂ・・・被装着者
Ｇ・・・ゲート
Ｐ・・・施設
【図１】
2019032733.tif 000003
【図２】
2019032733.tif 000004
【図３】
2019032733.tif 000005
【図４】
2019032733.tif 000006
【図５】
2019032733.tif 000007